(57)【要約】【課題】  従来使用していたツインバッフルダクトダンパは、ギアボックスを挟んで左右に冷蔵室、スライドチルド室の風路が並列に設置されていたために内容積が大きく取れなかった。【解決手段】  この発明に係る冷蔵庫用ダンパ装置は、一つの風路から二方の風路に分岐し、一つの風路の開口部及び二方の風路の何れか一方の風路の開口部の夫々に一つのバッフルの両面を夫々臨ませた冷蔵庫用ダンパ装置において、一つのバッフルの両面で、夫々が臨む一つの風路の開口部及び二方の風路の何れか一方の風路の開口部を夫々開閉することを特徴とする。【選択図】        図１
2005090758.tif 000002
【特許請求の範囲】
【請求項１】
一つの風路から二方の風路に分岐し、前記一つの風路の開口部及び前記二方の風路の何れか一方の風路の開口部の夫々に一つのバッフルの両面を夫々臨ませた冷蔵庫用ダンパ装置において、
前記一つのバッフルの両面で、夫々が臨む前記一つの風路の開口部及び前記二方の風路の何れか一方の風路の開口部を夫々開閉することを特徴とする冷蔵庫用ダンパ装置。
【請求項２】
前記一つの風路の開口部を前記一つのバッフルの一方の面で塞いで前記一つの風路と前記二方の風路とを非連通状態とし、前記二方の風路の何れか一方の風路の開口部を前記一つのバッフルの他方の面で塞いで前記一つの風路と前記二方の風路の何れか他方の風路とを連通状態とし、前記一つのバッフルがその中間の位置では、前記一つの風路と前記二方の風路が連通状態となることを特徴とする請求項１記載の冷蔵庫用ダンパ装置。
【請求項３】
冷却器で生成した冷気を送風機で循環させるダクト組立を有し、前記ダクト組立内に所定各室に冷気を供給する一つの風路の開口部と、異なる室へ連通する二方の風路の開口部とを有する冷蔵庫において、
一つのバッフルの両面で、夫々が臨む前記一つの風路の開口部及び前記二方の風路の開口部の何れか一方を夫々開閉制御する冷蔵庫用ダンパ装置を前記ダクト組立内に設けたことを特徴とする冷蔵庫。
【請求項４】
前記冷蔵庫用ダンパ装置は、前記一つの風路の開口部を前記一つのバッフルの一方の面で塞いで前記一つの風路と前記二方の風路とを非連通状態とし、前記二方の風路の何れか一方の風路の開口部を前記一つのバッフルの他方の面で塞いで前記一つの風路と前記二方の風路の何れか他方の風路とを連通状態とし、前記一つのバッフルがその中間の位置では、前記一つの風路と前記二方の風路が連通状態となる３モードで開閉制御することを特徴とする請求項３記載の冷蔵庫。
【請求項５】
冷蔵庫はスライドチルド室を有し、前記二方の風路の一方の風路は前記スライドチルド室に繋がり、前記二方の風路の他方の風路の背部に配置したことを特徴とする請求項３記載の冷蔵庫。
【請求項６】
前記冷蔵庫用ダンパ装置は、前記一つのバッフル開時の設定角度を複数持ち、冷蔵室扉に設置される温度設定パネルにて使用者が任意に前記スライドチルド室の温度を所定範囲に温度調整できることを特徴とする請求項５に記載の冷蔵庫。
【発明の詳細な説明】
【技術分野】
【０００１】
この発明は、ギアボックス内にモータを内臓し、ギア構造によりバッフルを開閉する機構を備え、冷蔵庫各室内の設定温度によりバッフルが開閉し冷気の供給を行う冷蔵庫用ダンパ装置（風量調節装置）及び冷蔵庫に関するものである。
【背景技術】
【０００２】
一般的に、間接冷却方式の冷蔵庫は、冷気の風量調節装置であるダクトダンパを備えている。ダクトダンパとは、ギアボックス内にモータを内臓し、ギア構造によりバッフルを開閉する機構を備えた風量調節装置のことであり、冷蔵庫各室内に設置されるサーミスタの設定温度によりバッフルが開閉し冷気の供給を行う装置である。バッフルがギアボックスを挟んで両側に並列して設置されるものをツインバッフルダクトダンパ、どちらか一方の片側のみに設置されるものをシングルバッフルダクトダンパと呼ばれる。
【０００３】
またツインバッフルダクトダンパにおいては、バッフル回転軸がモータと同回転方向を主軸側、反対になる側を副軸側とよび、一般に主軸側の開閉動作が先に行われる。また主軸側の方が回転トルクが大きいため、二つを比較してバッフルの大きい方を主軸側に設定する。
【０００４】
ツインバッフルダクトダンパを用いた冷蔵庫では、ツインバッフルダクトダンパは冷蔵室用バッフル（主軸側）、及びスライドチルド側バッフル（副軸側）を備え、これらのバッフルの開閉によって冷蔵室、スライドチルド室に流れる冷気流量を調節する。従来のツインバッフルダクトダンパの風路寸法およびギアボックス寸法は、例えば、冷蔵室側風路が横幅７０ｍｍ×奥行３０ｍｍ、スライドチルド側風路が横幅３０ｍｍ×奥行３０ｍｍ、ギアボックスが横幅３０ｍｍ×奥行４０ｍｍ×高さ５０ｍｍである。
【０００５】
従来の冷蔵室側バッフル及びスライドチルド側バッフルを有するツインバッフルダクトダンパを備えた冷蔵庫のバッフル開閉制御について簡単に説明する。圧縮機が稼動し、各部屋を冷却し始める。この時点にて、まず冷蔵室に設置してあるサーミスタが温度を検知し、冷蔵室のサーミスタの温度が冷蔵室側バッフル開閉の開温度以上であれば冷蔵室側バッフルが開き、冷蔵室サーミスタが冷蔵室側バッフルの閉温度以下になるまで、冷蔵室側バッフルは開いたままで冷蔵室に冷気を吹出す。
【０００６】
次にスライドチルド室のサーミスタがスライドチルド室内の温度を検知し、スライドチルド側バッフル開閉の開温度以上であればスライドチルド室用バッフルも、スライドチルド室のサーミスタの温度がスライドチルド側バッフルの閉温度以下になるまで開いたままとなる。スライドチルド室のサーミスタがスライドチルド側バッフル開閉の閉温度以下の場合は、スライドチルド室のサーミスタの温度がスライドチルド側バッフルの開温度以上になるまでスライドチルド室のバッフルは閉じたままである。
【０００７】
また、圧縮機が起動した時点で、冷蔵室のサーミスタが冷蔵室側バッフルの開温度以上でなく、且つ冷蔵室側バッフルの閉温度以下でない場合も、冷蔵室側バッフルの閉温度以下になるまで冷蔵室側バッフルは開いたままとなり、スライドチルド側バッフルの動作も同じである。
【０００８】
また、圧縮機が起動した時点で、冷蔵室のサーミスタが冷蔵室側バッフル閉温度以下の場合には、冷蔵室側バッフルは、冷蔵室サーミスタが冷蔵室側バッフルの開温度以上になるまで閉じたままとなり冷蔵室に冷気を流さない。次にスライドチルド室の温度を検知して、スライドチルド室のサーミスタがスライド室用バッフルの開温度以上である場合には、スライドチルド室サーミスタがスライド室用バッフルの閉温度以下になるまでスライドチルド室用バッフルは開いたままとなる。またスライドチルド室のサーミスタがスライドチルド室用バッフルの閉温度以下だとスライドチルド室用バッフルは閉じたままとなる。  
【０００９】
次に圧縮機の運転状態、冷蔵室側バッフル及びスライドチルド室側バッフルの開閉状態、冷蔵室温度、スライドチルド室温度、冷凍室温度の時系列変化を説明する。まず圧縮機起動時のＴ１においては、冷蔵室温度、スライドチルド室温度を各室サーミスタにて検知して各室のバッフルの開閉が行われる。圧縮機は冷凍室に設置されたサーミスタによって制御され、起動温度に達すると冷凍室サーミスタが圧縮機停止温度に達するまで運転を継続する。また従来の冷蔵庫では冷蔵室側バッフルから動作が始まり、次にスライドチルド室側バッフルの動作が行われる。これは冷蔵室側バッフルが主軸、スライドチルド室側バッフルが副軸に接続されているためで、ツインバッフルダクトダンパのギア構造上の問題であり、モータ一つで二つのバッフルを動作させているために生じるものである。冷蔵室側バッフルが開状態になってからスライドチルド室側バッフルが開状態になるまで時間差にして１０秒前後の遅れが生じる。冷蔵室側とスライドチルド室側のバッフルを同時に動かすことは出来ない。
【００１０】
次にＴ１の後のＴ２において、スライドチルド室側バッフルが閉じる。冷蔵室側バッフルより早く閉じるのは、スライドチルド室の容積が冷蔵室の容積より小さいためである。また冷蔵室の温度カーブとスライドチルド室の温度カーブを比べてみて、スライドチルド室の方が直線的に温度が変化するのも容積が小さいためである。このとき冷蔵室側バッフルは開状態、スライドチルド側バッフルが開状態から閉状態へ移行するのであるが、ツインバッフルダクトダンパのギア構造上の問題で、ある開閉動作を行ってから冷蔵室側バッフルのみ開という状態に持っていかなくてはならないので応答性が悪い。
【００１１】
次にＴ２の後のＴ３において、スライドチルド室側バッフルに遅れて冷蔵室側バッフルも閉じる。この際には冷蔵室側バッフルが閉じるだけである。これは冷蔵室側バッフルが主軸側に接続されているからである。
【００１２】
次にＴ３の後のＴ４において、圧縮機が停止する。この時点では、冷蔵室サーミスタ温度は冷蔵室側バッフル開温度より低く、冷蔵室側バッフルは閉じている。同じくスライドチルド室側バッフルも閉じている。
【００１３】
上記のバッフル開閉動作は、冷蔵庫の扉開閉のない状態のものであり、実使用においては扉開閉により各室温度は上昇するため、１サイクル中もっと複雑なバッフル開閉動作をする。
【００１４】
シングルバッフルダクトダンパを用いた冷蔵庫として、１個の風向調整ダンパにより、例えば風向調整ダンパの先に上段部と下段部の冷気吹出口につながる２本のダクトがある場合に、上段部と下段部の温度が設定値より高い場合は、全開となり、上段部の温度が設定値より高い場合は半開となり、両方の温度が設定値より高い場合は閉となるような制御を行う冷凍冷蔵庫がある（例えば、特許文献１参照）。
【００１５】
一枚の開閉板（シングルバッフルダクトダンパ）で開閉、開開、閉開の３モードで制御可能なダンパを提供するために、冷却装置から冷凍室へ連通するダクトの第一開口部とエアカーテンに連通するダクトの第二開口部とを一つのダンパ開閉板の両面を使って開閉する。モータ一個で制御でき、第一開口部と第二開口部の開き角度は９０゜以下で、回動に要する応答時間は短く電力消費は僅かである冷蔵庫がある（例えば、特許文献２参照）。
【００１６】
一枚のダンパを回動して、製氷皿下面風路への冷気を制御するもので、冷凍側導入口をダンパにより閉として冷蔵室の空気を製氷皿下面風路へ導入するモードと、冷蔵側導入口をダンパにより閉として冷凍室の空気を製氷皿下面風路へ導入するモードと、ダンパに位置を冷凍側導入口と冷蔵側導入口の中間に保持するモードとを有する冷凍冷蔵庫がある（例えば、特許文献３参照）。
【特許文献１】特開平１０−５４６４２号公報
【特許文献２】特開２００２−２９５９５１号公報
【特許文献３】特開昭６３−２３１１７８号公報
【発明の開示】
【発明が解決しようとする課題】
【００１７】
従来の冷蔵庫はツインバッフルダクトダンパを使用していたので、ギアボックスを挟んで左右に冷蔵室、スライドチルド室の風路が並列に設置されていたため、冷蔵室の内容積を大きく取れなかった。
【００１８】
また、ツインバッフルダクトダンパはバッフルとフレームがそれぞれ２個あるために価格が高い。
【００１９】
さらに、制御信号に対する応答性も悪い（時間がかかる）ため、消費電力も大きくなり、かつ、騒音も大きくなる。
【００２０】
特許文献１に記載された冷凍冷蔵庫の半開の状態というのは、一方に冷気を送り、もう一方には冷気を流さない状態であるが、バッフル摺動部とダクトに隙間がある為、冷気漏れ対策としてシールを貼る必要があり、価格が上がる。また寿命末期において、シールが擦れて隙間が出来て温度コントロールが利かなくなってしまうことが考えられる。
【００２１】
特許文献２に記載された冷蔵庫は、ダンパを開開、開閉、閉開の３モードで温度を制御しているが、閉閉の状態がないため、常に冷気が吹出される。圧縮機の起動は冷凍室サーミスタによって制御されているため、冷凍室に早く冷気を供給しなければ冷凍室サーミスタが設定温度以下にならないので圧縮機は稼動し続け、結果消費電力量は悪化する。
【００２２】
特許文献３に記載された冷凍冷蔵庫は、ファンが風向調整板の上流側にあるため、Ａ側の吹出し風路の方がＢ側の戻り風路より高圧になる。よって両方開状態にした場合、Ａ側の吹出し冷気は製氷皿の下を流れないでＢ側の冷蔵室の風路へ流れ、冷蔵室が氷結してしまう恐れがある。またこの構造においても閉閉の状態がない。圧縮機の起動は冷凍室サーミスタによって制御されているため、冷凍室に早く冷気を供給しなければ冷凍室サーミスタが設定温度以下にならないので圧縮機は稼動し続け、結果消費電力量は悪化する。
【００２３】
この発明は上記のような問題点を解消するためになされたもので、一つの風路から二方の風路に分岐する風路において、一枚のバッフルの両面で夫々が臨む一つの風路の開口部及び二方の風路の開口部の何れか一方を夫々開閉制御する冷蔵庫用ダンパ装置及びそれを用いた冷蔵庫を提供することを目的とする。
【課題を解決するための手段】
【００２４】
この発明に係る冷蔵庫用ダンパ装置は、一つの風路から二方の風路に分岐し、一つの風路の開口部及び二方の風路の何れか一方の風路の開口部の夫々に一つのバッフルの両面を夫々臨ませた冷蔵庫用ダンパ装置において、一つのバッフルの両面で、夫々が臨む一つの風路の開口部及び二方の風路の何れか一方の風路の開口部を夫々開閉することを特徴とする。
【発明の効果】
【００２５】
この発明に係る冷蔵庫用ダンパ装置は、一つのバッフルの両面で、夫々が臨む一つの風路の開口部及び二方の風路の何れか一方の風路の開口部を夫々開閉することにより、部品点数を削減でき、冷蔵庫の性能向上、庫内容積拡大につながる。
【発明を実施するための最良の形態】
【００２６】
実施の形態１．
以下、この発明の実施の形態１を図を用いて説明する。
図１、２は実施の形態１を示す図で、図１はシングルバッフルダクトダンパを備えた冷蔵庫の正面図（各部屋扉、ケース無し）、図２は同縦断面図である。図中において矢印は冷気の流れを示している。図において、冷蔵庫は、箱体４を区画して、上から順に冷蔵室５ａ、スライドチルド室５ｂ、製氷室９及び切替室６、野菜室７、冷凍室８を形成している。
【００２７】
ファンを支持し冷却された空気を各室へ分配する風路２は、冷却用ファン１を支持し冷却された空気を各室へ分配する風路、また各室からの戻り空気を冷却器２２へ戻す風路を有する。
【００２８】
風量調節装置であるダンパとして、切替室用シングルバッフルダクトダンパ３ａ、冷蔵室、スライドチルド用シングルバッフルダクトダンパ３ｂ、製氷室用シングルバッフルダクトダンパ３ｃ、冷凍室用シングルバッフルダクトダンパ１７を使用している。
【００２９】
冷蔵室冷気吹出し口１０から冷気が冷蔵室５ａへ吹出され、スライドチルド室冷気吹出し口２７から冷気がスライドチルド室５ｂへ吹出され、冷蔵室、スライドチルド室の戻り風路３３から冷蔵室、スライドチルド室の戻り風路１８（一点鎖線）を通過して冷却器２２へ戻る。切替室冷気吹出し口１１から冷気が切替室６へ吹出され、切替室冷気戻り口１２から切替室の戻り風路２０（一点鎖線）を通過して冷却器２２へ戻る。製氷室冷気吹出し口１３から冷気が製氷室９へ吹出され、製氷室冷気戻り口１４から製氷室の戻り風路１９（一点鎖線）を通過して冷却器２２へ戻る。冷凍室冷気吹出し口１５から冷気が冷凍室８へ吹出され、冷凍室戻り口２８から冷凍室冷気戻り風路１６を通過して冷却器２２へ戻る。
【００３０】
各室には、温度を検出するためのサーミスタ２１（斜線）が設置される。
【００３１】
冷蔵室背面ダクトに繋がる風路２３及び冷蔵室に繋がる風路３０は、冷蔵室５ａへの冷気の流れる風路の一部を構成する。製氷室９に繋がる風路２４は、製氷室用シングルバッフルダクトダンパ３ｃに連結する。切替室に繋がる風路２５は、切替室用シングルバッフルダクトダンパ３ａに連結する。冷凍室に繋がる風路２６は、冷凍室用シングルバッフルダクトダンパ１７に連結する。スライドチルド室に繋がる風路２９は、スライドチルド室冷気吹出し口２７へ連結する。
【００３２】
一つの風路は、冷蔵室背面ダクトに繋がる風路２３に相当する。また、二方の風路は、スライドチルド室に繋がる風路２９及び冷蔵室に繋がる風路３０に相当する。
【００３３】
冷凍サイクルの構成部品である圧縮機３１が、冷蔵庫底部に配置される。
【００３４】
ダクト組立３２は、冷蔵室５ａ及びスライドチルド室５ｂへの冷気風路の一部を構成する。
【００３５】
図３〜６は実施の形態１を示す図で、図３はダクト組立の詳細図、図４は冷蔵室、スライドチルド用シングルバッフルダクトダンパ詳細図、図５は同断面図、図６はダクト組立の組み立て図である。図において、バッフル３５はギアボックス３４で駆動される。ダクトダンパを押さえるフタ部品３７は、冷蔵室、スライドチルド用シングルバッフルダクトダンパ３ｂを押さえる。シール材３６はダクト組立３２をシールする。冷蔵室、スライドチルド用シングルバッフルダクトダンパ３ｂはダクト部品３８に収納される。
【００３６】
実施の形態１におけるダクトダンパは、一つのバッフルの両面がフレーム３９背面および下部の二つのダクト開口部をそれぞれ開閉する冷蔵室、スライドチルド用シングルバッフルダクトダンパ３ｂである。このダクトダンパのバッフルをシングル化したことで、ダクトダンパサイズは小型化し冷蔵室側風路幅を拡大することができ、冷蔵室の冷却性能が改善される。またフレーム背面にはスライドチルド室５ｂ行の吹出し穴を設置している。  
【００３７】
実施の形態１における冷蔵室、スライドチルド用シングルバッフルダクトダンパ３ｂの風路寸法およびギアボックス寸法はそれぞれ、冷蔵室側風路が横幅９０ｍｍ×奥行３０ｍｍ、スライドチルド室用吹出し穴が横幅４０ｍｍ×奥行２０ｍｍ、ギアボックスが横幅３０ｍｍ×奥行４０ｍｍ×高さ５０ｍｍである。
【００３８】
従来の冷蔵庫では、冷蔵室に繋がる風路３０とスライドチルド室に繋がる風路２９がギアボックス３４を挟んで左右に並列に並んでいる構造であった。しかし、実施の形態１では、バッフル３５をシングル化しフレーム３９背面にスライドチルド室５ｂへの吹き出し穴を設置したことで、スライドチルド室に繋がる風路２９を冷蔵室に繋がる風路３０の背部、つまりダクトダンパを押さえるフタ部品３７とシール材３６の間に設置した構造となっている。このように風路を取りまわすことでダクト組立３２の小型化が可能となり、スライドチルド室５ｂ奥のスペースが広がり内容積が拡大する。
【００３９】
以上より、ダクト組立３２の構造がコンパクトになり、且つバッフル３５およびフレーム３９をそれぞれ一つ削減することで約８０円のコストが削減可能となる。
【００４０】
次に冷気の循環について示す。図２の矢印はスライドチルド室５ｂに向かう冷気の流れを示している。スライドチルド室５ｂへ向かう冷気の流れとして、冷気は冷蔵室背面ダクトに繋がる風路２３、ダクト組立３２、冷蔵室、スライドチルド用シングルバッフルダクトダンパ３ｂ、スライドチルド室に繋がる風路２９の順で通過し、スライドチルド室冷気吹出し口２７からスライドチルド室５ｂに吹出される。
【００４１】
ダクト組立３２内のスライドチルド室５ｂに向かう冷気の流れはバッフル３５が開くと冷気はいったんダクト組立３２の外のスライドチルド室に繋がる風路２９（フタ部品３７とシール材３６で出来た風路９）を通過してスライドチルド室冷気吹出し口２７からスライドチルド室５ｂに吹出される。スライドチルド室５ｂを冷却した冷気はスライドチルド室の下にある冷蔵室、スライドチルド室の戻り風路３３から、冷蔵室、スライドチルド室の戻り風路１８を通過して冷却器２２に戻る。冷蔵室、スライドチルド室の戻り風路３３から冷却器２２に戻った冷気は冷却器２２によって熱交換されて再び各部屋に吹出される。
【００４２】
冷蔵室５ａの冷気の流れとして、冷気は冷蔵室背面ダクトに繋がる風路２３、ダクト組立３２、冷蔵室、スライドチルド用シングルバッフルダクトダンパ３ｂ、冷蔵室に繋がる風路３０、冷蔵室冷気吹出し口１０から冷蔵室５ａに吹出される。冷蔵室５ａを冷却した冷気は冷蔵室、スライドチルド室の戻り風路３３から冷蔵室、スライドチルド室の戻り風路１８を通過して、冷却器２２に戻り、冷却器２２によって熱交換されて冷却用ファン１によって再び各部屋に送られる。
【００４３】
製氷室９に向かう冷気の流れとして、冷気はファングリル内の製氷室に繋がる風路２４、製氷室用シングルバッフルダクトダンパ３ｃの順で通過し、製氷室冷気吹出し口１３から製氷室９に吹出す。製氷室９を冷却した冷気は。製氷室冷気戻り口１４から製氷室の戻り風路１９を通過して冷却器２２に戻り、冷却器２２によって熱交換されて再び各部屋に吹出される。
【００４４】
切替室６に向かう冷気の流れとして、冷気はファングリル内の切替室に繋がる風路２５、切替室用シングルバッフルダクトダンパ３ａの順で通過し、切替室冷気吹出し口１１から切替室６に吹出す。切替室６を冷却した冷気は切替室戻り口１２から切替室の戻り風路２０を通過して冷却器２２に戻り、冷却器２２によって熱交換されて再び各部屋に吹出される。
【００４５】
冷凍室８に向かう冷気の流れとして、冷気はファングリル内の冷凍室に繋がる風路２６、冷凍室用シングルバッフルダクトダンパ１７の順で通過し、冷凍室冷気吹出し口１５から冷凍室８に吹出す。冷凍室８を冷却した冷気は冷凍室戻り口２８から冷凍室冷気戻り風路１６を通過して冷却器２２に戻り、冷却器２２によって熱交換されて再び各部屋に吹出される。
【００４６】
次に冷蔵室内の温度制御について説明する。
図７〜９は実施の形態１を示す図で、図７は冷蔵室、スライドチルド用シングルバッフルダクトダンパ３ｂのバッフル３５の開閉のフローチャート、図８はサーミスタの温度状況とバッフルの状態を示す図、図９は冷蔵室、スライドチルド用シングルバッフルダクトダンパ３ｂのバッフルの開閉パターンである。このバッフル３５は冷蔵室５ａに設置されたサーミスタ２１の温度と、スライドチルド室５ｂに設置されたサーミスタ２１の温度の両方の温度にて開閉が決定されるが、冷蔵室５ａの方が使用頻度が高いことと、スライドチルド室５ｂは一般にケースが設置されることが多く、また、容積も冷蔵室５ａに比較して大きくなく早く温度が安定しやすいということから、冷蔵室５ａの温度にて優先的に制御している。
【００４７】
図７において、圧縮機３１が稼動（Ｓ１）すると冷却が始まる。圧縮機３１起動時にて冷蔵室５ａに設置してあるサーミスタ２１が温度を検知し、冷蔵室サーミスタ下限温度以下（Ｓ２、Ｓ４）ならば、バッフル３５は閉じたまま（（両閉）（Ｓ３）（図９（ａ））となる。冷蔵室サーミスタ２１の温度がサーミスタ上限温度以上（Ｓ２、Ｓ４）であればバッフル３５が開く。ここでスライドチルド室５ｂに設置されたサーミスタ２１の温度によって開く角度が変わってくる。スライドチルド室サーミスタ２１温度がサーミスタ上限度以上（Ｓ５、Ｓ７）ならば、バッフル３５はフレーム３９背面に設置されたスライドチルド室に繋がる風路２９を塞がず図９（ｂ）のような角度でとまり、冷蔵室に繋がる風路３０、スライドチルド室に繋がる風路２９の両風路を開状態（両開（Ｓ６））とする。また、スライドチルド室サーミスタ２１温度がサーミスタ下限温度以下（Ｓ５、Ｓ７）ならば、図９（ｃ）のような角度でバッフルがとまり、スライドチルド室に繋がる風路２９を塞ぐことで冷蔵室に繋がる風路３０を開状態、スライドチルド室に繋がる風路２９を閉状態（片開）とする（Ｓ８）。
【００４８】
図１０は実施の形態１を示す図で、圧縮機３１とバッフル３５開閉状態、冷蔵室温度、スライドチルド室温度、冷凍室温度の横軸を時間としたタイムチャートである。圧縮機が起動する（Ｔ１）時点にて冷蔵室サーミスタ２１とスライドチルド室サーミスタ２１が各室の温度を検知し、バッフル３５を両開する。所定時間後スライドチルド室５ｂが充分に冷却され（Ｔ２）、スライドチルド室に繋がる風路２９を閉とするために片開する。このとき両開（冷蔵室に繋がる風路３０およびスライドチルド室に繋がる風路２９はともに開）から片開（冷蔵室に繋がる風路３０は開、スライドチルド室に繋がる風路２９は閉）にするのにかかる時間は５秒程度であり、ツインバッフルダクトダンパを使用していた従来の冷蔵庫より応答性が改善される。また、バッフル３５を可動する時間も短いため騒音も少なく、また消費電力も従来と比べてかからない。
【００４９】
さらに、Ｔ３になると冷蔵室に繋がる風路３０も閉じるために両閉の状態となる。
【００５０】
このように実施の形態１の冷蔵室、スライドチルド用シングルバッフルダクトダンパ３ｂを使用することで、従来に比べてコストも安く、また、庫内容積の増加、さらには騒音も小さく少なくなり、消費電力も改善される。
【００５１】
上述の実施の形態によれば、冷蔵室、スライドチルド用シングルバッフルダクトダンパ３ｂにおいて、バッフル３５の両面が、冷蔵室背面ダクトの繋がる風路２３及びスライドチルド室に繋がる風路２９の二つのダクト開口部をそれぞれ開閉するシングルバッフルダクトダンパを使用することにより、部品点数が従来のツインバッフルダクトダンパよりも削減できるためコストを約８０円安くすることができた。また従来の例えば特許文献１において貼ってあるシールも追加しなくて済む。
【００５２】
また、バッフル３５を２枚から１枚にして、フレーム３９背面にスライドチルド室５ｂ行の吹出し穴を設置しスライドチルド室５ｂの風路をダクト背面に移動したことで、冷蔵室の風路を拡大することが可能となり冷蔵室の冷却性能が改善され、且つ冷蔵室、スライドチルド用シングルバッフルダクトダンパ３ｂの幅を狭くすることでダクト組立３２をコンパクトにし、内容積を増加させることを可能とした。
【００５３】
また、冷蔵室、スライドチルド用シングルバッフルダクトダンパ３ｂを設置した冷蔵庫は、従来の冷蔵庫に比較してバッフル３５の温度応答性が良いため、バッフル３５を稼動させる時間も短くなり、騒音が小さくなり、消費電力も低減する。
【００５４】
実施の形態２．
図１１、１２は実施の形態２を示す図で、図１１はバッフル開時の設定角度を示す図、図１２はシングルバッフルダクトダンパを搭載した冷蔵庫を示す図である。実施の形態２は、上記実施の形態１の冷蔵室、スライドチルド用シングルバッフルダクトダンパ３ｂを使用し、図１１に示すようにバッフル開時の設定角度を変えたものである。
【００５５】
これは、冷蔵庫の使用者が図１２に示される冷蔵室扉表面に設置されている温度設定パネルのボタンを操作することで、バッフル３５開時の設定角度が変わり、±２℃前後の範囲で任意にスライドチルド室の温度を設定することを可能にするものである。
【００５６】
温度を変化させるだけならスライドチルド室５ｂのサーミスタ２１の設定温度を変更すれば可能であるが、例えば温度を低目に設定する場合、サーミスタ２１の温度が設定温度に下がるまで、バッフル３５を開けていなければならないために庫内を循環している冷気流量がとられ、ひいては圧縮機３１の運転時間が長くなって消費電力が悪化し、また騒音も大きくなる。
【００５７】
そこでスライドチルド室５ｂの温度を調整する際に、温度操作パネルのボタンを操作してスライドチルド室５ｂのサーミスタ２１の設定温度だけでなく、バッフル３５開時の設定角度も変更（この場合は図１１の（ａ〜ｅ））すればバッフル３５を開けている時間も設定前と同じになり、圧縮機３１の運転時間も長くなることはない。
【００５８】
スライドチルド室５ｂは容積的にあまり大きくない部屋のため、バッフル３５の設定角度に対しての温度応答性も良く、設定角度を１０°ほど持たせれば±２℃程度の範囲で温度調整が可能となる。
【００５９】
上述の実施の形態によれば、バッフル３５開時の設定角度をいくつか持たせ、冷蔵室扉に設置される温度設定パネルにて使用者が任意にスライドチルド室５ｂの温度を±２℃程度の範囲で温度調整することを可能にした。
【図面の簡単な説明】
【００６０】
【図１】実施の形態１を示す図で、シングルバッフルダクトダンパを備えた冷蔵庫の正面図（各部屋扉、ケース無し）である。
【図２】実施の形態１を示す図で、シングルバッフルダクトダンパを備えた冷蔵庫の縦断面図である。
【図３】実施の形態１を示す図で、ダクト組立の詳細図である。
【図４】実施の形態１を示す図で、冷蔵室、スライドチルド用シングルバッフルダクトダンパの詳細図である。
【図５】実施の形態１を示す図で、冷蔵室、スライドチルド用シングルバッフルダクトダンパの断面図である。
【図６】実施の形態１を示す図で、ダクト組立の組み立て図である。実施の形態の冷凍冷蔵庫の正面図（ａ）、冷蔵庫本体中部の縦断側面図（ｂ）である。
【図７】実施の形態１を示す図で、冷蔵室、スライドチルド用シングルバッフルダクトダンパのバッフルの開閉のフローチャート図である。
【図８】実施の形態１を示す図で、サーミスタの温度状況とバッフルの状態を示す図である。
【図９】実施の形態１を示す図で、冷蔵室、スライドチルド用シングルバッフルダクトダンパのバッフルの開閉パターンを示す図である。
【図１０】実施の形態１を示す図で、圧縮機とバッフル開閉状態、冷蔵室温度、スライドチルド室温度、冷凍室温度の横軸を時間としたタイムチャート図である。
【図１１】実施の形態２を示す図で、バッフル開時の設定角度を示す図である。
【図１２】実施の形態２を示す図で、シングルバッフルダクトダンパを搭載した冷蔵庫を示す図である。
【符号の説明】
【００６１】
１  冷却用ファン、２  ファンを支持し冷却された空気を各室へ分配する風路、３ａ  切替室用シングルバッフルダクトダンパ、３ｂ  冷蔵室、スライドチルド用シングルバッフルダクトダンパ、３ｃ  製氷室用シングルバッフルダクトダンパ、４  箱体、５ａ  冷蔵室、５ｂ  スライドチルド室、６  切替室、７  野菜室、８  冷凍室、９  製氷室、１０  冷蔵室冷気吹出し口、１１  切替室冷気吹出し口、１２  切替室冷気戻り口、１３  製氷室冷気吹出し口、１４  製氷室冷気戻り口、１５  冷凍室冷気吹出し口、１６  冷凍室冷気戻り風路、１７  冷凍室用シングルバッフルダクトダンパ、１８  冷蔵室、スライドチルドの戻り風路、１９  製氷室の戻り風路、２０  切替室の戻り風路、２１  サーミスタ、２２  冷却器、２３  冷蔵室背面ダクトに繋がる風路、２４  製氷室に繋がる風路、２５  切替室に繋がる風路、２６  冷凍室に繋がる風路、２７  スライドチルド室冷気吹出し口、２８  冷凍室戻り口、２９  スライドチルド室に繋がる風路、３０  冷蔵室に繋がる風路、３１  圧縮機、３２  ダクト組立、３３  冷蔵室、スライドチルド室の戻り風路、３４  ギアボックス、３５  バッフル、３６  シール材、３７  ダクトダンパを押さえるフタ部品、３８  ダクト部品、３９  フレーム。
【図１】
2005090758.tif 000003
【図２】
2005090758.tif 000004
【図３】
2005090758.tif 000005
【図４】
2005090758.tif 000006
【図５】
2005090758.tif 000007
【図６】
2005090758.tif 000008
【図７】
2005090758.tif 000009
【図８】
2005090758.tif 000010
【図９】
2005090758.tif 000011
【図１０】
2005090758.tif 000012
【図１１】
2005090758.tif 000013
【図１２】
2005090758.tif 000014